(57)【特許請求の範囲】
【請求項１】
被診断者の顔を撮像する撮像手段と、
前記被診断者の顔画像に基づいて、顔部位を解析する顔部位解析手段と、
前記撮像手段が撮像した前記被診断者の顔画像の解析結果から前記被診断者の目の位置を特定し、目の位置を除く顔領域の少なくとも一部を照射領域として決定する照射管理手段と、
決定された照射領域に光を照射する照射手段と、
光を照射して撮像された前記被診断者の顔画像に基づいて、肌診断を行う肌診断解析手段と、を具備し、
前記照射管理手段が複数の解析項目における肌診断を一度に実行できないと判断する場合、前記撮像手段は再度、前記被診断者の顔を撮像する、
肌診断装置。
【請求項２】
前記照射管理手段が前記複数の解析項目における肌診断を一度に実行できると判断する場合、前記肌診断解析手段は、複数の解析項目について一度に肌診断を行う、
請求項１に記載の肌診断装置。
【請求項３】
前記照射管理手段は、解析項目に適した波長の照射光を決定し、
前記照射手段は、決定された前記波長の照射光を照射する、
請求項１に記載の肌診断装置。
【請求項４】
前記照射管理手段は、解析部位を含む一定の面積を照射領域として決定し、
前記照射手段は、決定された前記照射領域に照射光を照射する、
請求項１に記載の肌診断装置。
【請求項５】
前記照射手段は、プロジェクタである、
請求項１に記載の肌診断装置。
【請求項６】
前記顔部位解析手段は、前記照射手段が光を照射してないときに前記撮像手段によって撮像された前記被診断者の顔画像に基づいて、顔部位を解析する、
請求項１に記載の肌診断装置。
【請求項７】
操作者による解析項目の入力を受け入れる入力部をさらに具備し、
前記照射管理手段は、前記入力部を介して入力された前記解析項目に応じて、複数の照射光から照射光を決定し、
前記照射手段は、前記決定された照射光を前記決定された照射領域に照射する、
請求項１に記載の肌診断装置。
【請求項８】
前記照射管理手段は、可視光、紫外光、赤外光の中から照射手段が照射する照射光を決定する、
請求項７に記載の肌診断装置。
【請求項９】
操作者による撮像タイミングの入力を受け入れる入力部をさらに具備し、
前記撮像手段は前記入力された撮像タイミングで被診断者の顔を撮像する、
請求項１に記載の肌診断装置。
【請求項１０】
被診断者の顔を撮像する撮像手段と、
前記被診断者の顔画像に基づいて、顔部位を解析する顔部位解析手段と、
前記撮像手段が撮像した前記被診断者の顔画像の解析結果から前記被診断者の目の位置を特定し、目の位置を除く顔領域の少なくとも一部を照射領域として決定する照射管理手段と、
決定された照射領域に光を照射する照射手段と、
光を照射して撮像された前記被診断者の顔画像に基づいて、肌診断を行う肌診断解析手段と、を具備し、
前記照射管理手段は、肌の解析項目、顔の解析部位、照射光を含む組合せを複数通り示す管理テーブルを有し、
前記照射管理手段が前記複数通りの組合せにおける肌診断を一度に実行できないと判断する場合、前記撮像手段は再度、前記被診断者の顔を撮像する、
肌診断装置。
【請求項１１】
前記複数通りの組合せにおいて、解析項目が異なり、解析部位が重複する場合、又は、解析項目によって照射光が異なる場合、前記照射管理手段は一度に肌診断はできないと判断する、
請求項１０に記載の肌診断装置。
【請求項１２】
前記照射管理手段が前記複数通りの組合せにおける肌診断を一度に実行できないと判断する場合、前記撮像手段は再度、前記被診断者の顔を撮像する、
請求項１０に記載の肌診断装置。
【請求項１３】
前記照射管理手段が前記複数通りの組合せにおける肌診断を一度に実行できないと判断した後に、前記顔部位解析手段が撮像した顔が所定の位置から位置ずれしたと判断する場合、前記撮像手段は再度、前記被診断者の顔を撮像する、
請求項１０に記載の肌診断装置。
【発明の詳細な説明】
【技術分野】
【０００１】
本発明は、肌診断装置に関する。
【背景技術】
【０００２】
顔のシミ、くすみ、しわなどの肌の状態を診断する肌診断装置には、接触型と非接触型とがある。接触型の肌診断装置は、センサと照明を搭載し、肌に直接接触して肌の状態を撮影する。このため、接触型の肌診断装置は、診断位置の数だけ測定が必要であり、操作者の操作が多い。
【０００３】
これに対して、非接触型の肌診断装置は、顔全体に光を照射し、かつ、顔全体を一度に撮影する（例えば、特許文献１参照）。このため、非接触型の肌診断装置では、一度の撮影で各診断位置を解析することができ、操作者の操作が少なくてすむ。
【先行技術文献】
【特許文献】
【０００４】
【特許文献１】特開２００４−１０５７４８号公報
【発明の概要】
【発明が解決しようとする課題】
【０００５】
しかしながら、非接触型の肌診断装置では、高照度の照明を照射するため、被診断者が目を開けた状態で撮影することは望ましくない。また、被診断者は、目を閉じていても眩しく感じられる上、目を閉じていなければならないというストレスを感じる。
【０００６】
本発明の目的は、被診断者の目を保護し、かつ、被診断者のストレスを軽減する肌診断装置を提供することである。
【課題を解決するための手段】
【０００７】
本発明の一態様に係る肌診断装置は、被診断者の顔を撮像する撮像手段と、前記被診断者の顔画像に基づいて、顔部位を解析する顔部位解析手段と、前記撮像手段が撮像した前記被診断者の顔画像の解析結果から前記被診断者の目の位置を特定し、目の位置を除く顔領域の少なくとも一部を照射領域として決定する照射管理手段と、決定された照射領域に光を照射する照射手段と、光を照射して撮像された前記被診断者の顔画像に基づいて、肌診断を行う肌診断解析手段と、を具備し、前記照射管理手段が複数の解析項目における肌診断を一度に実行できないと判断する場合、前記撮像手段は再度、前記被診断者の顔を撮像する構成を採る。
【発明の効果】
【０００８】
本発明によれば、被診断者の目を保護し、かつ、被診断者のストレスを軽減することができる。
【図面の簡単な説明】
【０００９】
【図１】本発明の実施の形態に係る肌診断装置の構成を示すブロック図
【図２】照射管理部が有する管理テーブルを示す図
【図３】照射部が被診断者の顔に照射する様子を示す模式図
【図４】コース選択画面の表示例を示す図
【図５】解析部位選択画面の表示例を示す図
【図６】図１に示した肌診断装置の処理手順を示すフロー図
【図７】照射部が被診断者の顔の一部に照射する様子を示す模式図
【発明を実施するための形態】
【００１０】
以下、本発明の実施の形態について、図面を参照して詳細に説明する。
【００１１】
（実施の形態）
図１は、本発明の実施の形態に係る肌診断装置１０の構成を示すブロック図である。以下、図１を用いて、肌診断装置１０の構成について説明する。
【００１２】
入力部１１は、操作者による操作情報の入力を受け付けるインターフェースであり、例えば、キーボード、マウス、マイク、タッチパネル等のうち少なくともいずれか１つである。具体的には、入力部１１は、操作者によって入力された肌の解析項目（毛穴、シミ、しわ、水分量、法令線、きめなど）及び解析部位（鼻、頬、目元など）等を照射管理部１３に出力する。
【００１３】
制御部１２は、照射管理部１３、照射指示部１４、撮像指示部１６、顔部位解析部１８及び肌診断解析部１９を備える。
【００１４】
照射管理部１３は、入力部１１から入力された解析項目に応じて、可視光、紫外光、赤外光などから適切な照射光を決定し、決定した照射光を照射指示部１４に通知する。照射管理部１３は、顔部位解析部１８から出力された解析結果によって、被診断者の目の位置を特定し、目の位置を除く顔領域全体を照射領域として決定し、決定した照射領域を照射指示部１４に通知する。照射管理部１３は、入力部１１から入力された撮影タイミングを撮像指示部１６に通知する。また、照射管理部１３は、図２に示すような管理テーブルを備え、解析項目、解析部位、照射光の組合せごとに肌診断解析が完了したかどうかを完了フラグによって管理する。一度に解析できる組合せについては一度で全て行うが、異なる解析項目に対して解析部位が重複するなど、一度で全ての解析が行えない場合は、照射管理部１３は、該当する組合せについて完了フラグを立てない。照射管理部１３は、操作者によって入力された全ての組合せに完了フラグを立てるまで、肌診断解析を繰り返し行うように指示する。さらに、照射管理部１３は、選択画面をモニタ２０に出力する。
【００１５】
照射指示部１４は、照射管理部１３から通知された照射領域及び照射光を照射部１５に指示する。
【００１６】
照射部１５は、例えば、プロジェクタであり、照射指示部１４から指示された照射光を、同じく指示された照射領域に照射する。照射部１５は、図３に示すように、被診断者の目を除く顔領域全体に照射する。図３は、目を含む網掛け領域には照射しないことを示す。これにより、被診断者の目を保護することができる。
【００１７】
撮像指示部１６は、照射管理部１３から通知された撮像タイミングで撮像部１７に撮像を指示する。
【００１８】
撮像部１７は、撮像指示部１６から指示されたタイミングで撮像し、撮像した画像を顔部位解析部１８または肌診断解析部１９に出力する。
【００１９】
顔部位解析部１８は、撮像部１７から出力された顔画像に基づいて、目、鼻、口、額、頬などの顔部位を解析し、解析結果を照射管理部１３に出力する。
【００２０】
肌診断解析部１９は、撮像部１７から出力された画像に基づいて、肌診断を行い、肌診断結果をモニタ２０に出力する。
【００２１】
モニタ２０は、文字情報及び画像情報を表示する。具体的には、モニタ２０は、選択画面、肌診断解析部１９から出力された肌診断結果等を表示する。
【００２２】
ここで、モニタ２０に表示する選択画面の例を図４及び図５に示す。図４では、おまかせコースと、こだわりコースを選択可能であることを示す。おまかせコースは、解析項目及び解析部位が自動で決定されるコースであり、こだわりコースは、解析項目及び解析部位を操作者が指定するコースである。また、図５では、選択可能な解析部位のうち、操作者が被診断者の頬を選択する様子を示す。図５の点線の枠で示す領域Ｒ１、Ｒ２が頬を選択していることを示す。
【００２３】
次に、図１に示した肌診断装置１０の処理手順について図６を用いて説明する。図６は、図１に示した肌診断装置１０の処理手順を示すフロー図である。
【００２４】
ステップＳ０１において、操作者の操作によって、肌診断装置１０は、ソフトを起動するなどの撮影準備を行い、ステップＳ０２において、撮像部１７は、照射部１５からの照射なしで被診断者の顔全体を撮像する。
【００２５】
ステップＳ０３において、顔部位解析部１８は、ステップＳ０２において撮像した顔画像から顔部位を解析し、ステップＳ０４において、照射管理部１３は、ステップＳ０３において解析した顔部位に基づいて、目の位置を除く顔領域全体を照射領域として決定する。
【００２６】
ステップＳ０５において、照射管理部１３は、解析項目に応じて、適切な照射光を決定し、ステップＳ０６において、照射部１５は、ステップＳ０４で決定した照射領域にステップＳ０５で決定した照射光を照射する。
【００２７】
ステップＳ０７において、撮像部１７は、照射部１５からの照射ありで被診断者の顔を撮像し、ステップＳ０８において、肌診断解析部１９は、ステップＳ０７において撮像した顔画像を解析する。
【００２８】
ステップＳ０９において、異なる解析項目に対して解析部位が重複する場合、または、解析項目によって照射光が異なる場合など、一度で解析できない場合、撮像部１７は、被診断者の顔を再度撮像するか否かを判定する。再度撮像する場合には（ステップＳ０９：ＹＥＳ）、ステップＳ１０に移行し、再度撮像しない場合には（ステップＳ０９：ＮＯ）、ステップＳ１１に移行する。
【００２９】
ステップＳ１０において、顔部位解析部１８は、所定時間が経過するなどにより、顔が所定の位置から位置ずれしたか否かを判定し、位置ずれした場合には（ステップＳ１０：ＹＥＳ）、ステップＳ０２に戻り、位置ずれしていない場合には（ステップＳ１０：ＮＯ）、ステップＳ０５に戻る。
【００３０】
ステップＳ１１において、モニタ２０は、ステップＳ０８における解析結果を表示し、ステップＳ１２において、照射管理部１３は、入力部１１から終了の指示を受けたか否かを判定し、終了指示を受けた場合（ステップＳ１２：ＹＥＳ）、肌診断装置１０の処理を終了し、終了指示を受けていない場合（ステップＳ１２：ＮＯ）、ステップＳ０２に戻る。
【００３１】
このように、本実施の形態によれば、肌診断解析部は、光の照射を行わずに撮像した被診断者の顔画像に基づいて、被診断者の目の位置を特定し、被診断者の目を除く顔領域全体を照射領域に決定し、また、解析項目に応じた照射光を決定し、決定した照射光を決定した照射領域に照射することにより、被診断者の目を保護し、かつ、被診断者のストレスを軽減することができる。
【００３２】
＜変形例＞
上記実施の形態では、照射管理部１３は、被診断者の目を除く顔領域全体を照射領域として決定するものとして説明したが、本発明はこれに限るものではない。すなわち、照射管理部１３は、図７に示すように、解析部位を含む一定の面積を照射領域Ｒ３として決定してもよい。これは、肌診断では、一定面積内の特徴、例えば、毛穴密度などが指標に用いられることがあるためである。一定の面積としては、頬、額など、顔の凹凸が比較的少ない領域とすることが望ましい。
【産業上の利用可能性】
【００３３】
本発明にかかる肌診断装置は、被診断者の目を保護し、かつ、被診断者のストレスを軽減するのに有用である。
【符号の説明】
【００３４】
１０  肌診断装置
１１  入力部
１２  制御部
１３  照射管理部
１４  照射指示部
１５  照射部
１６  撮像指示部
１７  撮像部
１８  顔部位解析部
１９  肌診断解析部
２０  モニタ
【図１】
0006561288.tif 000002
【図２】
0006561288.tif 000003
【図３】
0006561288.tif 000004
【図４】
0006561288.tif 000005
【図５】
0006561288.tif 000006
【図６】
0006561288.tif 000007
【図７】
0006561288.tif 000008